(57)【特許請求の範囲】
【請求項１】
手書き型電子ペーパー・ディスプレイであって、
同じ画素電極ドット・マトリックス構造を有する第１の電極基板及び第２の電極基板、電子ペーパー・フィルム、可撓性回路板、手書きペン及び電源を備え、
前記電子ペーパー・フィルムは、前記第１の電極基板の上面に接着され、マイクロカプセルの層及び前記マイクロカプセルの層の上の共通電極を含み、前記マイクロカプセルは、前記電子ペーパー・ディスプレイの各画素に対応し、前記電子ペーパー・フィルムの前記共通電極は前記電源の陰極に電気的に接続され、
前記第２の電極基板は、前記電子ペーパー・フィルムに膜層として固定され、かつ前記第１の電極基板に対向し、前記電子ペーパー・フィルムを前記第１の電極基板と前記第２の電極基板との間に挟み、
前記可撓性回路板は、前記第１の電極基板の画素を、前記第２の電極基板の対応する画素に電気的に接続し、前記第１の電極基板の画素及び前記第２の電極基板の画素の両方は、前記電子ペーパー・ディスプレイの画素に対応し、
前記手書きペンは、前記電源の陽極に電気的に接続されることを特徴とする手書き型電子ペーパー・ディスプレイ。
【請求項２】
前記電子ペーパー・フィルムの共通電極と前記電源の陰極との間に接続され、前記電子ペーパー・フィルムの共通電極と前記電源の陰極とを電気的に接続するために切り替られることができ、前記電子ペーパー・フィルムをリセットするための第１のスイッチをさらに備えることを特徴とする請求項１に記載の手書き型電子ペーパー・ディスプレイ。
【請求項３】
前記可撓性回路板は、
前記可撓性回路板の両端に設けられ、前記第１の電極基板及び第２の電極基板にそれぞれ接続されるＦＰＣピンと、
前記ＦＰＣピンによって前記第１の電極基板の画素と前記第２の電極基板の対応する画素とを電気的に接続するトップ配線と、
前記第１の電極基板の画素と前記第２の電極基板の対応する画素との間を接続するすべての配線を金属端子に導くボトム配線と、
金属端子と、
を備えることを特徴とする請求項１または２に記載の手書き型電子ペーパー・ディスプレイ。
【請求項４】
前記金属端子に接続され、表示された画像を消すための電圧を印加する第２のスイッチをさらに備え、前記電圧は前記電源によって供給することを特徴とする請求項３に記載の手書き型電子ペーパー・ディスプレイ。
【請求項５】
前記第２のスイッチは、ボタン、スライド・スイッチ又は光電スイッチであることを特徴とする請求項４に記載の手書き型電子ペーパー・ディスプレイ。
【請求項６】
前記電源は、前記電子ペーパー・フィルムとともに設置されるバッテリであることを特徴とする請求項１〜５のいずれか１項に記載の手書き型電子ペーパー・ディスプレイ。
【請求項７】
請求項１に記載の手書き型電子ペーパー・ディスプレイの製造方法であって、
第１の電極基板及び第２の電極基板を供給するステップＡと、
電子ペーパー・フィルムを前記第１の電極基板の上面に接着し、前記電子ペーパー・フィルムの共通電極を電源の陰極に接続するステップＢと、
前記第２の電極基板を前記電子ペーパー・フィルムに膜層として固定し、前記第１の電極基板に対向するようにするステップＣと、
可撓性回路板によって前記第１の電極基板の画素と前記第２の電極基板の対応する画素とを電気的に接続するステップＤと、
手書きペンを電源の陽極に電気的に接続するステップＥと、を備えることを特徴とする手書き型電子ペーパー・ディスプレイの製造方法。
【請求項８】
第１のスイッチを前記電子ペーパー・フィルムの共通電極と前記電源の陰極との間に接続するステップＦをさらに備えることを特徴とする請求項７に記載の手書き型電子ペーパー・ディスプレイの製造方法。
【請求項９】
前記可撓性回路板は、ＦＰＣピン、トップ配線、ボトム配線及び金属端子を備え、
前記ステップＤは、
前記トップ配線によって、前記可撓性回路板の両端に配置されたＦＰＣピンで、前記第１の電極基板の画素と前記第２の電極基板の対応する画素とを電気的に接続する工程と、
前記ボトム配線によって、前記第１の電極基板の画素と前記第２の電極基板の対応する画素との間に接続される全ての配線を金属端子に導く工程とを備えることを特徴とする請求項７または８に記載の手書き型電子ペーパー・ディスプレイの製造方法。
【請求項１０】
前記金属端子に接続され、表示された画像を消すための電圧を印加する第２のスイッチを供給するステップＧをさらに備えることを特徴とする請求項９に記載の手書き型電子ペーパー・ディスプレイの製造方法。
【請求項１１】
前記ステップＡにおいて、前記第１の電極基板を供給するステップは、
ガラス基板に一層の導電層を積層し、パターニングによって画素電極の配線を形成するステップＡ１１と、
一層の導電材料を積層し、パターニングによって画素電極のパターンを形成するステップＡ１２と、
一層の絶縁層をさらに積層し、パターニングによって絶縁層のパターンを形成し、ガラス基板の縁部で可撓性回路板の結合領域を露出するステップＡ１３と、を備えることを特徴とする請求項７〜１０のいずれか１項に記載の手書き型電子ペーパー・ディスプレイの製造方法。
【請求項１２】
前記ステップＡにおいて、前記第２の電極基板を供給するステップは、
ガラス基板上に一層の導電層を積層し、パターニングによって画素電極の配線を形成するステップＡ２１と、
一層の透明導電材料層を積層し、パターニングによって画素電極のパターンを形成するステップＡ２２と、
一層の絶縁層をさらに積層し、パターニングによって絶縁層のパターンを形成し、ガラス基板の縁部で可撓性回路板の結合領域を露出するステップＡ２３と、を備えることを特徴とする請求項７〜１１のいずれか１項に記載の手書き型電子ペーパー・ディスプレイの製造方法。
【発明の詳細な説明】
【技術分野】
【０００１】
本発明は、手書き型電子ペーパー・ディスプレイ及びその製造方法に関する。
【背景技術】
【０００２】
電子ペーパー・ディスプレイは、「マイクロ・カプセル」に包まれる表示用の「電子インク」を電界で駆動する表示装置である。電子インク自身は液体であり、キャリヤーの表面に印刷または塗布できる。電子インクは、非常に微小の黒微粒子及び白微粒子を透明の液体に浮遊させるように形成される。マイクロ・カプセル技術は、電子インクをマイクロ・カプセル内に包む技術であり、色素微粒子の集中という問題を解決した。
【０００３】
これらの電子インクに注入された微粒子は、電荷を有する。その中で、白色微粒子が正電荷を有し、黒色微粒子が負電荷を有する。マイクロ・カプセルは上側の透明電極板と下側のボトム電極板との間に挟まれる。上の透明電極板に負電圧が印加されるとき、正電荷を有する白色微粒子は電界によって該透明電極板に引き付けられて集中し、透明電極板に白色を表示させる。それとともに、負電荷を有する黒色微粒子は、形成された電界によってボトム電極板まで排斥されて隠れるようになる。上の透明電極板に正電圧が印加されるとき、黒色微粒子と白色微粒子の運動方向が逆になり、透明電極板に黒色を表示させるようになる。これは白黒電子ペーパー・ディスプレイの基本的な原理である。
【０００４】
電子ペーパー・ディスプレイでは、主に以下の両方式で電子ペーパー・ディスプレイにおける黒色微粒子及び白色微粒子の運動を制御する。電子ペーパー記録装置では、電磁誘導ユニットが電子ペーパーに給電し、かつ電子ペーパーと通信リンクを形成することで、電子ペンで電子ペーパーに手書き入力をするとき、ペンの入力位置の座標を検出し、前記座標の軌跡に対応するベクトル・データを表示データとして電子ペーパーに発送して表示する。他の電子ペーパー・ディスプレイでは、タッチ・スクリーン及び駆動回路が設けられ、前記駆動回路によってタッチ・スクリーンがタッチされる位置を検出して、電子ペーパー・ディスプレイに対応する表示をするように駆動する。
【発明の概要】
【発明が解決しようとする課題】
【０００５】
以上のように、従来の電子ペーパー・ディスプレイは、電磁誘導または複雑な回路処理によって電子ペーパーの表示を制御するものであり、構造が複雑で、コストが高くて、電気エネルギーが無駄になり、電子ペーパー・ディスプレイの省エネルギー及び環境保護の要求を満たせない。
【課題を解決するための手段】
【０００６】
本発明は、構造が簡単で、コストが低くてかつ省エネルギーの手書き型電子ペーパー・ディスプレイ及びその製造方法を提供する。
【０００７】
本発明の実施例は、手書き型電子ペーパー・ディスプレイを提供し、該ペーパー・ディスプレイは、同じ画素電極ドット・マトリックス構造を有する第１の電極基板、第２の電極基板、電子ペーパー・フィルム、可撓性回路板、手書きペン及びバッテリを備え、前記電子ペーパー・フィルムは、前記第１の電極基板の上面に接着され、前記電子ペーパー・フィルムの共通電極が電源の陰極に電気的に接続され、前記第２の電極基板は、前記電子ペーパー・フィルムに膜層として固定され、かつ前記第１の電極基板に対向し、それによって前記電子ペーパー・フィルムを前記第１の電極基板と前記第２の電極基板との間に挟み、前記可撓性回路板は、前記第１の電極基板の画素を、前記第２の電極基板の対応する画素に電気的に接続し、前記手書きペンが電源の陽極に電気的に接続される。
【０００８】
例えば、前記手書き型電子ペーパー・ディスプレイは、前記電子ペーパー・フィルムの共通電極と電源の陰極との間に接続され、前記電子ペーパー・フィルムを還元するための反転スイッチをさらに備える。
【０００９】
例えば、前記可撓性回路板は、ＦＰＣピン、トップ配線、ボトム配線及び金属端子を備える。前記ＦＰＣピンは、前記可撓性回路板の両端に設けられ、前記第１の電極基板及び第２の電極基板にそれぞれ接続する。前記トップ配線は、前記ＦＰＣピンによって前記第１の電極基板の画素と前記第２の電極基板の対応する画素とを電気的に接続する。前記ボトム配線は、前記第１の電極基板の画素と前記第２の電極基板の対応する画素との間を接続する全ての配線を金属端子に導く。
【００１０】
例えば、前記手書き型電子ペーパー・ディスプレイは、前記金属端子の上に設けられ、表示された画像を消すための電圧を印加するスイッチをさらに備え、前記電圧は電源によって供給される。
【００１１】
例えば、前記電源は、前記電子ペーパー・フィルムとともに設置されるバッテリである。
【００１２】
本発明の他の実施例は、上述した手書き型電子ペーパー・ディスプレイの製造方法を提供し、該製造方法は、
第１の電極基板及び第２の電極基板を供給するステップＡと、
電子ペーパー・フィルムを前記第１の電極基板の上面に接着し、前記電子ペーパー・フィルムの共通電極を電源の陰極に接続するステップＢと、
前記第２の電極基板を前記電子ペーパー・フィルム上に膜層として固定し、前記第１の電極基板に対向するようにするステップＣと、
可撓性回路板によって前記第１の電極基板の画素と前記第２の電極基板の対応する画素とを電気的に接続するステップＤと、
手書きペンを電源の陽極に電気的に接続するステップＥと、を備える。
【００１３】
例えば、前記製造方法は、反転スイッチを前記電子ペーパー・フィルムの共通電極と電源の陰極との間に接続するステップＦをさらに備える。
【００１４】
前記可撓性回路板は、例えば、ＦＰＣピン、トップ配線、ボトム配線及び金属端子を備える。前記ステップＤは、前記トップ配線によって、前記可撓性回路板の両端に配置されるＦＰＣピンで、前記第１の電極基板の画素と前記第２の電極基板の対応する画素とを電気的に接続し、前記ボトム配線によって、前記第１の電極基板の画素と前記第２の電極基板の対応する画素との間を接続する全ての配線を金属端子に導くことを備える。
【００１５】
例えば、前記製造方法は、前記金属端子に接続され、表示された画像を消すための電圧を印加するスイッチを供給するステップＧをさらに備える。
【００１６】
例えば、前記ステップＡにおいて、前記第１の電極基板を供給するステップは、
ガラス基板に一層の導電層を積層し、パターニングによって画素電極の配線を形成ステップＡ１１と、
一層の導電材料を積層し、パターニングによって画素電極のパターンを形成するステップＡ１２と、
一層の絶縁層をさらに積層し、パターニングによって絶縁層のパターンを形成し、ガラス基板の縁部で可撓性回路板の結合領域を露出するステップＡ１３と、を備える。
【００１７】
例えば、前記ステップＡにおいて、前記第２の電極基板を供給するステップは、
ガラス基板上に一層の導電層を積層し、パターニングによって画素電極の配線を形成するステップＡ２１と、
一層の透明導電材料層を積層し、パターニングによって画素電極のパターンを形成するステップＡ２２と、
一層の絶縁層をさらに積層し、パターニングによって絶縁層のパターンを形成し、ガラス基板の縁部で可撓性回路板の結合領域を露出するステップＡ２３と、を備える。
【００１８】
以下、本発明の実施例の技術案をさらに明確に説明するため、実施例の図面を簡単に説明する。明らかなように、以下の図面は本発明の実施例に関するものに過ぎず、本発明を限定するものではない。
【図面の簡単な説明】
【００１９】
【図１】本発明の実施例に係る手書き型電子ペーパー・ディスプレイの構造の概略図である。
【図２】本発明の実施例に係る可撓性回路板の構造の概略図である。
【図３】本発明の実施例に係る手書き型電子ペーパー・ディスプレイの製造方法のフローチャートである。
【発明を実施するための形態】
【００２０】
以下、図面を参照しながら、本発明の具体的な実施形態をさらに詳しく説明する。下記のような実施例は、本発明を説明するものであり、本発明の範囲を制限するものではない。
【００２１】
図１に示すように、本発明の実施例に係る手書き型電子ペーパー・ディスプレイ１０は、画素電極のドット・マトリックス構造が同じである第１の電極基板１及び第２の電極基板２、電子ペーパー・フィルム３、可撓性回路板（ＦＰＣ、ｆｌｅｘｉｂｌｅ ｐｒｉｎｔｅｄ ｃｉｒｃｕｉｔ）４、手書きペン５、及び電源としてのバッテリ７を備える。
【００２２】
前記電子ペーパー・フィルム３は、前記第１の電極基板１の上面に接着され、その共通電極が電源の陰極に電気的に接続される。電子ペーパー・フィルム３は、例えば、複数のマイクロ・カプセルに包まれる電子インク及びマイクロ・カプセル層の上に設けられる透明共通電極（図示しない）を備える。これらのマイクロ・カプセルは、例えば、ディスプレイの各画素に対応するように設置される。第１の電極基板１が電子ペーパー・ディスプレイ１０のボトム電極板とされて、それにおける画素電極は、ディスプレイ１０の各画素に対応するように設置され、マイクロ・カプセルにおける電子インクを駆動して表示するように、電子ペーパー・フィルム３の透明共通電極と協働する。電子インクは、白黒表示のために、白黒微粒子を有し、または、カラー表示のために、カラー微粒子を有することができる。
【００２３】
前記第２の電極基板２は、前記電子ペーパー・フィルム３上に膜層として固定され、前記第１の電極基板１に対向する。第２の電極基板２における画素と第１の電極基板１における画素とは互いに対応するように接続される。さらに、第１の電極基板１、電子ペーパー・フィルム３及び第２の電極基板２がサンドイッチのような構造になるとき、第１の電極基板１及び第２の電極基板２において互いに電気的に接続される画素は、ディスプレイ１０の厚み方向でも互いに重なる。
【００２４】
前記可撓性回路板４は、前記第１の電極基板１及び第２の電極基板２の一側にそれぞれ接続され、前記第１の電極基板１の画素を、前記第２の電極基板２の対応する画素に電気的に接続する。このような接続を実現するために、第１の電極基板１及び第２の電極基板２は、各画素電極に接続するための配線をさらに有し、更に、これらの配線は、インターフェイス領域を形成して可撓性回路板４のインターフェイス領域に接続するように、各基板の一側に導かれ、表示領域の周辺部分に位置する。
【００２５】
前記手書きペン５は、電源の陽極に電気的に接続される。手書きペン５は、電圧の印加に適するならば、いずれの形式であってもよい。
【００２６】
本発明の実施例に係る電子ペーパー・ディスプレイは、ドット・マトリックス駆動という制御方式を採用する。即ち、電子ペーパー・ディスプレイのボトム電極板（第１の電極基板１）において、たくさんのドット・マトリックス形状を構成する画素電極が設けられ、ボトム電極板に対向する電子ペーパー・フィルムにおいて、透明の共通電極が設けられる。例えば、白色または黒色を表示するように、これらの画素電極に異なる電圧を印加し、共通電極とそれぞれ電界を形成して各画素を制御する。
【００２７】
本発明の実施例において、電子ペーパー・ディスプレイにおいて、電子ペーパー・ディスプレイのボトム電極板（第１の電極基板１）と同じ電極基板（第２の電極基板２）を別途に設けて、そして、ＦＰＣによって上記２つの基板をつなぎ、電子ペーパー・ディスプレイの画素電極をボトム電極板の外部まで導く。使用中に、１つの手書きペンによって第２の電極基板２上の各画素電極に電圧を印加することで、電子ペーパー・ディスプレイのボトム電極板の画素に電圧を印加することを実現でき、手書き機能を実現する。この実施例に係る電子ペーパー・ディスプレイは、構造が簡単で、如何なるタッチ・スクリーン及びＩＣによる位置信号の供給も必要ではなく、位置信号によって駆動する他のＩＣも必要ではない。
【００２８】
さらに、該手書き型電子ペーパー・ディスプレイは、前記電子ペーパー・フィルム３の共通電極と電源の陰極との間に接続され、前記電子ペーパー・フィルム３を還元（リセット）するための反転スイッチ６をさらに備える。従って、本実施例では、前記反転スイッチ６で前記電子ペーパー・フィルム３を還元することによって、前記手書き型電子ペーパー・ディスプレイを繰り返して消せるため、随意に書くことができる。
【００２９】
図２に示すように、前記可撓性回路板４の１つの例として、ＦＰＣピン４１と、トップ配線４２と、ボトム配線４３と、例えば、ゴールド・フィンガー４４である回路板の金属端子と、を備える。
【００３０】
前記ＦＰＣピン４１は、前記可撓性回路板４の両端に配置され、前記第１の電極基板及び第２の電極基板にそれぞれ接続するための、前記可撓性回路板４の両端に位置するインターフェイス領域を形成する。
【００３１】
前記トップ配線４２は、前記可撓性回路板４の両端のピン４１を接続し、ＦＰＣピンによって前記第１の電極基板１の各画素を前記第２の電極基板２の対応する各画素に電気的に接続する。前記ボトム配線４３は、前記トップ配線４２に対応するように引き出され、前記第１の電極基板１の各画素と前記第２の電極基板２の対応する各画素との間に接続する全ての配線をゴールド・フィンガー４４に導く。
【００３２】
また、前記電子ペーパー・フィルムを還元するために、ゴールド・フィンガー４４に画像を消せる負電圧を印加してもよい。
【００３３】
他の実施例では、前記手書き型電子ペーパー・ディスプレイは、前記金属端子（例えば、ゴールド・フィンガー）４４の上に設けられるボタンをさらに備えてもよい。該ボタンは前記金属端子に接続され、表示された画像を消すための電圧を印加するものであり、所要電圧は前記電源から供給される。この時、ボタンを1回押すだけで前記電子ペーパー・フィルムを還元できる。ボタンの他に、他の形式のスイッチ、スライド・スイッチ又は光電スイッチを用いてもよく、或いは、ディスプレイにおける操作インターフェースによって制御する。
【００３４】
該電源は電子ペーパー・フィルム３とともに設置されるバッテリ、例えばリチウム・バッテリ、リチウムイオン・バッテリ、ニッケル水素バッテリ、アルカリ・バッテリ等であってもよい。該電源は外部電源であってもよい。
【００３５】
内蔵電源（例えば、バッテリ）を用いるので、周囲回路を追加する必要がなく、構造全体をさらに簡単化した。
【００３６】
本発明の実施例は、上記手書き型電子ペーパー・ディスプレイに対応する手書き型電子ペーパー・ディスプレイの製造方法も提供する。
【００３７】
図３に示すように、本発明の実施例に係る手書き型電子ペーパー・ディスプレイの製造方法は、以下のようなステップを備える。
【００３８】
第１の電極基板及び第２の電極基板を供給するステップＡと、
電子ペーパー・フィルムを前記第１の電極基板の上面に接着し、前記電子ペーパー・フィルムの共通電極を電源の陰極に接続するステップＢと、
前記第２の電極基板を前記電子ペーパー・フィルム上に膜層として固定し、第１の電極基板に対向させるステップＣと、
可撓性回路板によって、前記第１の電極基板の画素を前記第２の電極基板の対応する画素に電気的に接続するステップＤと、
手書きペンを電源の陽極に電気的に接続するステップＥと、を備える。
【００３９】
ステップＡの１つの例では、第１の電極基板または第２の電極基板を提供するステップは、
スパッタ（Ｓｐｕｔｔｅｒ）によって、例えば、ガラス基板上に一層の導電層、例えば金属層を積層し、画素電極の配線を形成するステップＡ１と、
スパッタによって一層の透明導電材料（例えばＩＴＯ）を積層して透明電極を形成し、パターニングして画素電極のパターンを形成するステップＡ２と、
例えばプラズマ化学気相成長法（Ｐｌａｓｍａ  Ｅｎｈａｎｃｅｄ  Ｃｈｅｍｉｃａｌ  Ｖａｐｏｒ  Ｄｅｐｏｓｉｔｉｏｎ、ＰＥＣＶＤ）により一層の絶縁層を積層し、パターニングして該絶縁層のパターンを形成し、ガラス基板の縁部で可撓性回路板の結合（ｂｏｎｄｉｎｇ）領域を露出し、第１の電極基板又は第２の電極基板を得るステップＡ３と、を備える。
【００４０】
第１の電極基板に対して、ステップＡ２では、他の非透明の導電材料（例えば金属）によって画素電極を形成してもよい。
【００４１】
第２の電極基板は、上述のステップＡ１〜Ａ３を繰り返すことで得られる。1つの例では、ステップＡ３で絶縁層をパターニングして結合領域を形成するとともに、画素電極を露出することができる。或いは、他の例では、第２の電極基板に前記絶縁層を形成することなく画素電極を直接露出してもよく、それによって、導電ペンによる電圧印加を便利にする。
【００４２】
第１の電極基板、電子ペーパー・フィルム及び第２の電極基板がサンドイッチ構造を形成する場合に、第１の電極基板と第２の電極基板との互いに電気的に接続される画素は、厚み方向でも互いに重なる。
【００４３】
１つの例では、図２に示すように、ＦＰＣ４は、トップ配線４２によって、その両端のＦＰＣピン４１で、前記第１の電極基板の画素と、前記第２の電極基板の対応する画素とを電気的に接続し、そして、ボトム配線４３によって、前記第１の電極基板の画素と、前記第２の電極基板の対応する画素との間を接続する全ての配線を回路板の金属端子、例えばゴールド・フィンガー４４に導く。
【００４４】
ＦＰＣ４は、前記第１の電極基板の画素と、前記第２の電極基板の対応する画素とを電気的に接続する。手書きペンによって前記第２の電極基板と電子ペーパー・フィルムの共通電極との間に電圧を印加することは、前記第１の電極基板と電子ペーパー・フィルムの共通電極との間に電圧を印加することに相当する。このようにして、電子ペーパー・フィルムの両電極の間に電圧が生じて、電子ペーパー・フィルムにおける微粒子が電界によって運動し、電子ペーパー・フィルムの各画素、例えば、黒白状態が変化し、外部光線が透明の上層ガラスを通ってから電子ペーパー・フィルムによって肉眼までに反射され、画像を形成する。
【００４５】
さらに、本発明の該実施例に係る手書き型電子ペーパー・ディスプレイの製造方法は、前記電子ペーパー・フィルムの共通電極と電源の陰極との間に、前記電子ペーパー・フィルムを還元（リセット）する反転スイッチを接続するステップＦをさらに備えてもよい。
【００４６】
画像を消したい場合、反転スイッチによって電子ペーパー・フィルムの電圧を逆にして、画像を消すための電圧を生じさせ、そして、ＦＰＣのゴールド・フィンガーに反向電圧を印加し、画像を消す。
【００４７】
さらに、本発明の実施例に係る手書き型電子ペーパー・ディスプレイの製造方法は、前記金属端子の上に、金属端子に接触する面が画像を消すための電圧を有するボタンを設置するステップＧと、をさらに備えてもよい。
【００４８】
これによって、ボタンを１回押すだけで、前記電子ペーパー・フィルムを還元できる。ボタンの他に、他の形式のスイッチであってもよい。
【００４９】
上述の様々なステップの組合の順序はアルファベットの順序でよい。
【００５０】
以上のように、本発明の実施例は、手書き型電子ペーパー・ディスプレイ及びその製造方法を公開した。本発明の上述実施例によれば、電子ペーパー・ディスプレイに電子ペーパー・ディスプレイのボトム電極板（第１の電極基板）と同じ電極基板（第２の電極基板）を別途に設置し、ＦＰＣによって上述の２つの基板を接続し、第１及び第２の電極基板の互いに対応する画素を接続することにより、電子ペーパー・ディスプレイの画素電極をボトム電極板の外部に導く。手書きペンによって第２の電極基板における画素電極に電圧を印加することで、電子ペーパー・ディスプレイのボトム電極板としての第１の電極基板における対応する画素に電圧を印加することが実現できる。これによって、表示を行い、手書き機能を有する電子ペーパー・ディスプレイを実現する。該電子ペーパー・ディスプレイは構造が簡単で、コストが低く、省エネルギーで、如何なるタッチ・スクリーン及びＩＣによる位置信号の供給も必要ではなく、位置信号によって駆動する他のＩＣも必要ではない。さらに、本発明の実施例に係る手書き型電子ペーパー・ディスプレイは、繰り返して消せるもので、随意に書くことができる。
【００５１】
以上は本発明の具体的な実施形態に過ぎず、本発明を限定するものではない。本発明の趣旨と範囲を逸脱しなければ、当業者は各種の変形をしてもよく、全ての均等の技術案も本発明の保護範囲に入る。本発明の保護範囲は請求項によって限定すべきである。
【符号の説明】
【００５２】
１  第１の電極基板
２  第２の電極基板
３  電子ペーパー・フィルム
４  可撓性回路板
５  手書きペン
６  反転スイッチ
７  電源
１０  電子ペーパー・ディスプレイ
４１  ＦＰＣピン
４２  トップ配線
４３  ボトム配線
４４  ゴールド・フィンガー
【図１】
0006027111.tif 000002
【図２】
0006027111.tif 000003
【図３】
0006027111.tif 000004